(57)【特許請求の範囲】
【請求項１】
車両のインストルメントパネル内に取付けるケースと、このケースに引出しの様にスライド自在に取付けるスライド部材と、このスライド部材に渡したクロス軸と、このクロス軸に上下スイング自在に取付けた孔付き板とからなり、インストルメントパネル外に引出した状態の孔付き板に紙コップ、缶、ボトル等の容器を載せることのできる車両用カップホルダ機構であって、前記スライド部材にクロス軸を一定距離右又は左に移動可能に取付けることで、スライド部材に孔付き板を一定距離右又は左に移動可能に取付けたことを特徴とする車両用カップホルダ機構。
【発明の詳細な説明】
【０００１】
【発明の属する技術分野】
本発明は、簡単な構造で、カップホルダの設置箇所の自由度を増すのに好適な車両用カップホルダ機構に関する。
【０００２】
【従来の技術】
車内で、お茶を注いだ紙コップ、ジュースの缶、小型のペットボトルなどを倒れないように保持するため、インストルメントパネルに引出し可能に取付けたカップホルダとしては、例えば、▲１▼実開平１−１４２３４１号公報「収納トレイ」、▲２▼実開平２−８６４５号公報「車両用引出しケース構造」に記載されたものが知られている。
【０００３】
上記公報▲１▼の第１図には、ケース本体２にスライドプレート３を移動可能に挿入し、このスライドプレート３にトレイ５及びカップホルダー７を軸ピン４で上下スイング自在に取付け、トレイ５を水平に保持可能な収納トレイ１が記載されている。
【０００４】
上記公報▲２▼の第１図には、アウタケース９及びこのアウタケース９にスライド可能に取付けたインナケース１３から灰皿ケース１を構成し、インナケース１３に、インナケース１３のスライド方向と直交する方向にカップホルダ２１をスライド可能に取付けた車両用引出しケース構造が記載されている。
【０００５】
【発明が解決しようとする課題】
上記公報▲１▼の技術では、スライドプレート３にトレイ５及びカップホルダー７を上下スイング自在に取付けるので、例えば、インストルメントパネルの収納トレイ１の設置箇所の上下に他の部品がある場合に、トレイ５及びカップホルダー７の上下スイング角度を変更することで、トレイ５及びカップホルダー７が他の部品と干渉しないようにすることはできるが、トレイ５及びカップホルダー７の両側方に部品がある場合は、その部品に干渉しない位置に収納トレイ１を設置しなければならず、収納トレイ１の設置箇所が制限される。
【０００６】
また、上記公報▲２▼の技術では、アウタケース９からインナケース１３を引出した状態では、インナケース１３からスライドしたカップホルダ２１が側方に突出するため、インナケース１３及びカップホルダ２１の占有スペースが大きくなる。このような状態では、インナケース１３及びカップホルダ２１がこれらの上下左右に配置される他の部品に干渉しないように設置箇所を決めなければならず、上記公報▲１▼の技術以上に、灰皿ケース１の設置箇所に制約を受ける。
【０００７】
更に、この灰皿ケース１では、アウタケース９に対するインナケース１３のスライド機構と、インナケース１３に対するカップホルダ２１のスライド機構との両方の機構が必要であるため、構造が複雑になり、部品数が多くなってコストアップを招く。
【０００８】
そこで、本発明の目的は、車両用カップホルダ機構において、簡単な構造で、カップホルダの設置箇所の自由度を増すことにある。
【０００９】
【課題を解決するための手段】
上記目的を達成するために請求項１は、車両のインストルメントパネル内に取付けるケースと、このケースに引出しの様にスライド自在に取付けるスライド部材と、このスライド部材に渡したクロス軸と、このクロス軸に上下スイング自在に取付けた孔付き板とからなり、インストルメントパネル外に引出した状態の孔付き板に紙コップ、缶、ボトル等の容器を載せることのできる車両用カップホルダ機構であって、前記スライド部材にクロス軸を一定距離右又は左に移動可能に取付けることで、スライド部材に孔付き板を一定距離右又は左に移動可能に取付けたことを特徴とする。
【００１０】
スライド部材にクロス軸を一定距離右又は左に移動可能に取付けることで、スライド部材に孔付き板を一定距離右又は左に移動可能に取付け、クロス軸に孔付き板を上下スイング自在に取付けることにより、孔付き板を周囲の部品に干渉しないように設置する。従って、孔付き板の設置箇所の自由度が増す。
また、クロス軸に孔付き板を上下スイング自在及び左右移動可能に取付けることで、孔付き板の取付構造を簡単にし、製造コストを抑える。
【００１１】
【発明の実施の形態】
本発明の実施の形態を添付図に基づいて以下に説明する。なお、図面は符号の向きに見るものとする。
図１は本発明に係るカップホルダ機構を採用した車両の室内の説明図であり、車両１０の室内におけるメータパネル１１の右下方のインストルメントパネル１２に、ボトルとしてのペットボトル１３や、他に紙コップ、ジューズの缶等を保持する孔付き板としてのカップホルダ１４を取付けたことを示す。なお、１６はステアリング、１７はフロントピラー、１８はフロントドアである。
【００１２】
図２は本発明に係るカップホルダ機構の斜視図であり、カップホルダ機構２０は、インストルメントパネル１２（図１参照）内に取付けるケース２１と、このケース２１の側壁内側に配置するとともにケース２１の前端の縁取りとなるレール部２２，２３と、これらのレール部２２，２３にスライド自在に取付けたスライド部材２４と、このスライド部材２４に上下スイング自在に取付けた前述のカップホルダ１４とからなる。なお、２６はケース２１をインストルメントパネル１２に取付けるためのブラケットである。
図は、ケース２１内からスライド部材２４をスライドさせてカップホルダ１４を引出した状態を示す。
【００１３】
カップホルダ１４は、ペットボトル１３（図１参照）の底部を支持するための底部支持部材３１と、ペットボトル１３の側面を保持するために孔を開けた側面保持部材３２とからなり、側面保持部材３２は前部に前面板３３を取付けたものである。
【００１４】
図３は本発明に係るカップホルダ機構を示す側面図であり、カップホルダ機構２０をインストルメントパネル１２内に挿入し、インストルメントパネル１２の内側に設けた取付部３５にカップホルダ機構２０のブラケット２６をビス３６，３６（奥側の符号３６は不図示）で取付け、カップホルダ機構２０のケース２１の後部から突出させた突出部３７をインストルメントパネル１２内のフレーム３８に設けた取付穴３９に挿入することで、インストルメントパネル１２内にカップホルダ機構２０を取付けたことを示す。
【００１５】
図４は図３の４矢視図であり、カップホルダ１４の底部支持部材３１にペットボトル１３（図１参照）の底に当てる横板４２を設け、側面保持部材３２にペットボトル１３を挿入する孔４３を開けたことを示す。なお、４５はスライド部材２４にカップホルダ１４を上下スイング自在に取付けるためのシャフトである。
【００１６】
図５は図４の５−５線断面図であり、スライド部材２４は、前部に突出部４７及びストッパ面４８を設け、この突出部４７にシャフト４５を介してカップホルダ１４を構成する底部支持部材３１及び側面保持部材３２を上下スイング自在に取付け、ストッパ面４８に底部支持部材３１に形成した第１角度規制部５１を当て、同じくストッパ面４８に側面保持部材３２に形成した第２角度規制部５２を当てることで、カップホルダ１４の下方側へのスイング角度を規制するものである。
【００１７】
カップホルダ１４の側面保持部材３２は、ケース２１内に収納した状態での角度（想像線で示す側面保持部材３２の角度）からケース２１外に引出した状態での角度（実線で示す側面保持部材３２の角度）まで、角度θ１だけ下方側へスイングする。
【００１８】
図６は図３の６−６線断面図であり、スライド部材２４にシャフト支持部２４ａ，２４ｂを設け、底部支持部材３１にアーム部３１ａ，３１ｂを設け、側面保持部材３２にアーム部３２ａ，３２ｂを設け、シャフト支持部２４ａ，２４ｂにシャフト４５をシャフト４５の延びる方向に移動可能に取付け、シャフト支持部２４ａ，２４ｂに対してシャフト４５がシャフト４５の延びる方向に移動するときに、シャフト４５と底部支持部材３１及び側面保持部材３２とが一体的に移動するようにシャフト４５にアーム部３１ａ，３１ｂ及びアーム部３２ａ，３２ｂを取付け、シャフト４５にアーム部３１ａ，３１ｂ及びアーム部３２ａ，３２ｂをスイング自在に取付けることで、シャフト４５に底部支持部材３１及び側面保持部材３２をスイング自在に取付けたことを示す。
【００１９】
また、図では、スライド部材２４のシャフト支持部２４ａと底部支持部材３１のアーム部３１ｂとの間にコイルばね５４を介在させたことを示す。
コイルばね５４は、一端をシャフト支持部２４ａに取付け、他端をアーム部３１ｂに取付けることで、スライド部材２４に対して底部支持部材３１及び側面保持部材３２を図の右方に押出す圧縮コイルばねの作用をなすとともに、スライド部材２４に対して底部支持部材３１及び側面保持部材３２をシャフト４５回りに回転させるねじりコイルばねの作用をもなすものである。
【００２０】
ここで、５５はシャフト４５の中間部に取付けたスナップリングであり、このスナップリング５５によって、シャフト４５が左右移動するときに、底部支持部材３１及び側面保持部材３２をシャフト４５と一体的に左右移動するようにするものである。
【００２１】
図７は図３の７−７線断面図であり、スライド部材２４は、レール部２２，２３にそれぞれ設けた溝５６，５７内に側方突出部５８，５９を挿入することで、レール部２２，２３にスライド可能に取付けたものである。
また、スライド部材２４は、ケース２１内からカップホルダ１４（図３参照）をケース２１外へ移動させるためのねじりコイルばね６２を下部に取付けたものである。
【００２２】
ねじりコイルばね６２は、一端をスライド部材２４に取付け、他端をケース２１側に取付けることで、カップホルダ１４をケース２１内に手で押し込むときに、ねじりコイルばね６２を延ばすことでねじりコイルばね６２の弾性力を高め、この弾性力をカップホルダ１４がケース２１外に移動するときの駆動力とするものである。
【００２３】
図８は図３の８−８線断面図であり、スライド部材２４は、ねじりコイルばね６２（図７参照）によるケース２１外へのカップホルダ１４（図３参照）の移動速度を遅くするオイルダンパ６４を下部に取付けたものである。
【００２４】
オイルダンパ６４は、オイル室６５内に粘性の高いオイルを充填し、このオイル室６５内に図示せぬ羽根等の回転部材を配置し、この回転部材にピニオン６６を取付けることで、回転部材がオイル内を回転するときのオイルのせん断力による抵抗を利用して回転部材に取付けたピニオン６６の回転を妨げるものである。
上記したピニオン６６は、レール部２２の下部端面に形成したラックに噛み合うものである。
【００２５】
以上に述べたカップホルダ機構２０の作用を次に説明する。
図９（ａ），（ｂ）は本発明に係るカップホルダ機構の作用を説明する第１作用図であり、カップホルダ機構２０の断面図で説明する。
（ａ）は、ケース２１内にカップホルダ１４を収納した状態を示す。
この状態で、カップホルダ１４の前面板３３を指で押す。これにより、ケース２１とスライド部材２４とを結合する図示せぬ結合部材の結合を解除する。
【００２６】
（ｂ）において、スライド部材２４は、ねじりコイルばね６２（図７参照）のねじり力によってケース２１内を矢印▲１▼のように移動し、カップホルダ１４の底部支持部材３１及び側面保持部材３２がケース２１外に出るとともに、コイルばね５４（図６参照）のねじり力によって側面保持部材３２及び底部支持部材３１は、ケース２１内に収納されていた状態の角度からそれぞれ矢印▲２▼，▲３▼のようにθ１，θ２だけ下方に傾き、ペットボトル等を保持することができる状態になる。
【００２７】
図１０（ａ），（ｂ）は本発明に係るカップホルダ機構の作用を説明する第２作用図であり、カップホルダ機構２０のシャフト４５周りの断面図で説明する。
（ａ）は、カップホルダがケース内に収納された状態（図９（ａ）の状態）では、スライド部材２４に対して底部支持部材３１、側面保持部材３２及びシャフト４５は強制的な力で図の左方に移動し、コイルばね５４は縮んでいる。
【００２８】
この時、コイルばね５４には、スライド部材２４に対して底部支持部材３１、側面保持部材３２をシャフト４５回りに回転させようとするねじり力、即ち、底部支持部材３１、側面保持部材３２を下方へ傾けようとする力と、スライド部材２４に対して底部支持部材３１、側面保持部材３２及びシャフト４５を図の右方へ押出そうとする力とが発生している。
【００２９】
（ｂ）において、カップホルダがケース外に出るときには、ケースによるカップホルダの側方への位置規制がなくなり、カップホルダの底部支持部材３１及び側面保持部材３２は、コイルばね５４のねじり力によって、シャフト支持部２４ａからシャフト支持部２４ｂを見てシャフト４５の右回りに回転するとともに、コイルばね５４の押出し力によってシャフト４５とともに矢印のように側方に移動する。
【００３０】
図１１（ａ）〜（ｃ）は本発明に係るカップホルダ機構の作用を説明する第３作用図であり、カップホルダ機構２０の平面図で説明する。
（ａ）は、カップホルダ１４がケース２１内に収納された状態を示す。
【００３１】
（ｂ）において、カップホルダ１４は、スライド部材に取付けたねじりコイルばねのねじり力によって矢印のように移動する。
この時、カップホルダ１４の側面３２ｃ（詳しくは、側面保持部材３２の側面３２ｃ）は、コイルばねの押出し力によってレール部２３の内面２３ａに押し付けられる。即ち、この時のカップホルダ１４の左右方向の位置決めをカップホルダ１４の側面３２ｃとレール部２３の内面２３ａとで行う。
【００３２】
（ｃ）において、カップホルダ１４がケース２１外に出るにつれて、レール部２３の内面２３ａとカップホルダ１４の傾斜側面３２ｄ（詳しくは、側面保持部材３２の傾斜側面３２ｄ）とが接するようになり、更に、レール部２３の内面２３ａがカップホルダ１４の内方側面３２ｅ（詳しくは、側面保持部材３２の内方側面３２ｅ）に臨むようになると、カップホルダ１４のレール部２３側の位置規制がなくなり、図１０（ｂ）に示したように、カップホルダ１４の底部支持部材３１及び側面保持部材３２は、シャフト４５とともに側方へ移動する。
【００３３】
これによって、図１１（ｃ）において、カップホルダ１４は、図１１（ａ）、図１１（ｂ）の状態から側方へＭだけ移動する。
従って、図１において、例えば、車両の方向指示を行うためのウインカレバー６８を実線位置から想像線位置まで倒した状態でも、カップホルダ１４とウインカレバー６８とのクリアランスをＣだけ確保することができる。
【００３４】
以上の図５で説明したように、本発明は、車両１０のインストルメントパネル１２内に取付けるケース２１と、このケース２１に引出しの様にスライド自在に取付けるスライド部材２４と、このスライド部材２４に渡したシャフト４５と、このシャフト４５に上下スイング自在に取付けたカップホルダ１４とからなり、インストルメントパネル１２外に引出した状態のカップホルダ１４に紙コップ、缶、ペットボトル１３等の容器を載せることのできる車両用カップホルダ機構２０であって、スライド部材２４にシャフト４５を一定距離右又は左に移動可能に取付けることで、スライド部材２４にカップホルダ１４を一定距離右又は左に移動可能に取付けたことを特徴とする。
【００３５】
上記構成により、カップホルダ１４の上下スイング角度及び右又は左への移動量を適宜設定することで、カップホルダ１４を周囲の部品に干渉しないようにインストルメントパネル１２に設置することができる。
従って、カップホルダ１４のレイアウトを周囲の部品による制約を受けずに行うことができ、カップホルダ１４の設置箇所の自由度を増すことができる。
この結果、インストルメントパネル１２の設計自由度を増すことができて、ユーザーのニーズにきめ細かく対応することができる。
【００３６】
また、シャフト４５にカップホルダ１４を上下スイング自在及び左右移動可能に取付けることで、カップホルダ１４の取付構造を簡単にすることができ、製造コストを抑えることができる。
【００３７】
尚、本発明では、カップホルダのスイング方向を、ケース内に収納した状態の角度から下方へスイングするようにしたが、これに限らず、設置箇所によっては上方へスイングするようにしてもよく、また、カップホルダの側方移動の方向をカップホルダに向かって右方としたが、これに限らず、左方としてもよい。
【００３８】
【発明の効果】
本発明は上記構成により次の効果を発揮する。
請求項１の車両用カップホルダ機構は、車両のインストルメントパネル内に取付けるケースと、このケースにスライド自在に取付けるスライド部材と、このスライド部材に渡したクロス軸と、このクロス軸に上下スイング自在に取付けた孔付き板とからなり、インストルメントパネル外に引出した状態の孔付き板に紙コップ、缶、ボトル等の容器を載せることのできる車両用カップホルダ機構であって、前記スライド部材にクロス軸を一定距離右又は左に移動可能に取付けることで、スライド部材に孔付き板を一定距離右又は左に移動可能に取付けたので、孔付き板の上下スイング角度及び右又は左への移動量を適宜設定することで、孔付き板を周囲の部品に干渉しないようにインストルメントパネルに設置することができる。
従って、孔付き板の設置箇所の自由度を増すことができ、インストルメントパネルの設計自由度を増すことができて、ユーザーのニーズにきめ細かく対応することができる。
【００３９】
また、クロス軸に孔付き板を上下スイング自在及び左右移動可能に取付けることで、孔付き板の取付構造を簡単にすることができ、製造コストを抑えることができる。
【図面の簡単な説明】
【図１】本発明に係るカップホルダ機構を採用した車両の室内の説明図
【図２】本発明に係るカップホルダ機構の斜視図
【図３】本発明に係るカップホルダ機構を示す側面図
【図４】図３の４矢視図
【図５】図４の５−５線断面図
【図６】図３の６−６線断面図
【図７】図３の７−７線断面図
【図８】図３の８−８線断面図
【図９】本発明に係るカップホルダ機構の作用を説明する第１作用図
【図１０】本発明に係るカップホルダ機構の作用を説明する第２作用図
【図１１】本発明に係るカップホルダ機構の作用を説明する第３作用図
【符号の説明】
１０…車両、１２…インストルメントパネル、１３…ボトル（ペットボトル）、１４…孔付き板（カップホルダ）、２０…カップホルダ機構、２１…ケース、２４…スライド部材、４５…シャフト。
【図１】
0003776674.tif 000002
【図２】
0003776674.tif 000003
【図３】
0003776674.tif 000004
【図４】
0003776674.tif 000005
【図５】
0003776674.tif 000006
【図６】
0003776674.tif 000007
【図７】
0003776674.tif 000008
【図８】
0003776674.tif 000009
【図９】
0003776674.tif 000010
【図１０】
0003776674.tif 000011
【図１１】
0003776674.tif 000012